(57)【特許請求の範囲】
【請求項１】
電気光学パネルと、
前記電気光学パネルを保持するとともに、前記電気光学パネルの側面に対向する側壁を有する保持部材と、
前記保持部材に対して前記電気光学パネルの表示面側および該表示面とは反対側のいずれか一方の面側から係合するとともに、前記保持部材の側壁に対向配置される側壁を有するカバー部材とを備え、
前記保持部材の側壁には、前記カバー部材の側壁側に凹底部を向ける係合凹部が形成され、
前記カバー部材の側壁には、前記保持部材の側壁側に向けて突出して前記係合凹部に嵌る板バネ状の係合凸部が形成され、
前記係合凸部は、前記カバー部材の側壁から前記係合凹部内に向けて突き出た第１係合板部と、該第１係合板部の先端で折れ曲がって前記凹底部に弾性をもって面接触する第２係合板部とを備えていることを特徴とする電気光学装置。
【請求項２】
前記カバー部材および前記保持部材は、前記カバー部材の側壁および前記保持部材の側壁を、少なくとも相対向する２辺に備え、
当該２辺において、前記係合凸部の突出方向および前記係合凹部の凹底部の向きが逆向きであることを特徴とする請求項１に記載の電気光学装置。
【請求項３】
前記第１係合板部は、前記カバー部材の側壁から前記係合凹部内に向けて斜めに突出し、
前記凹底部および前記第２係合板部は、前記保持部材に対する前記カバー部材の係合方向と平行であることを特徴とする請求項１または２に記載の電気光学装置。
【請求項４】
前記第１係合板部は、前記カバー部材の側壁から、前記保持部材に対する前記カバー部材の係合方向に対して逆方向に向かって斜めに突出し、
前記第２係合板部は、前記第１係合板部の先端部分から、前記係合方向に対して逆方向に向かって延びていることを特徴とする請求項１乃至３の何れか一項に記載の電気光学装置。
【請求項５】
前記第２係合板部には、係合穴が形成され、
前記凹底部には、前記係合穴に嵌る係合突起が形成されていることを特徴とする請求項４に記載の電気光学装置。
【請求項６】
前記保持部材の側壁には、前記凹底部に対して前記係合方向側に隣接する位置に前記第１係合板部が面接触する傾斜段部が形成されていることを特徴とする請求項４または５に記載の電気光学装置。
【請求項７】
前記電気光学パネルを内側に保持する樹脂製保持部材と、前記樹脂製保持部材に対して前記電気光学パネルの表示面側から係合する金属製の上カバー部材と、前記樹脂製保持部材に対して前記電気光学パネルの表示面とは反対側から係合する金属製の下カバー部材とを備え、
前記樹脂保持部材は前記保持部材であり、
前記上カバー部材および前記下カバー部材の一方または両方が前記カバー部材であることを特徴とする請求項１乃至６の何れか一項に記載の電気光学装置。
【請求項８】
請求項１乃至７の何れか一項に記載の電気光学装置を備えていることを特徴とする電子機器。
【発明の詳細な説明】
【技術分野】
【０００１】
本発明は、互いに重なる複数の部材によって電気光学パネルが支持された電気光学装置および電子機器に関するものである。
【背景技術】
【０００２】
携帯電話機や情報携帯端末（ＰＤＡ：Personal Digital Assistants）などの電子機器の表示部には、透過型あるいは半透過反射型の液晶パネルを備えた液晶装置や、有機エレクトロルミネッセンス素子が構成された有機エレクトロルミネッセンスパネルを備えた有機エレクトロルミネッセンス装置が広く用いられている。かかる電気光学装置において、液晶パネルや有機エレクトロルミネッセンスパネルなどの電気光学パネルは、保持部材の内側に保持された状態で金属製の上カバー部材が重ねられることが多い。かかる構成の場合、上カバー部材と保持部材との重ね合わせ方向と直交する方向で対向する上カバー部材側の側壁同士を係合させれば、互いの位置決めを行なうことができる。
【０００３】
かかる係合構造としては、例えば、上カバー部材の側壁には、保持部材の側壁に向けて斜めに突出する係合凸部を形成し、保持部材の側壁には、係合凸部が弾性をもって当接する係合凹部を形成した構造や、上カバー部材の側壁に対して保持部材の側壁に向けて突出する円弧状の係合凸部を形成した構造が提案されている（例えば、特許文献１、２参照）。
【０００４】
かかる構造を応用すれば、図７（ａ）に示すように、上カバー部材５０Ａ側の側壁５１Ａから斜めに突出した係合凸部５５Ａを保持部材３０Ａの側壁３１Ａに形成した係合凹部３５Ａ内に嵌めるだけで、上カバー部材５０Ａの側壁５１Ａと保持部材３０Ａの側壁３１Ａとを係合させることができる。また、図７（ｂ）に示すように、上カバー部材５０Ａの側壁５１Ａから円弧状に突出した係合凸部５５Ｂを保持部材３０Ａの側壁３０Ａに形成した係合凹部３５Ａ内に嵌めるだけでも、上カバー部材５０Ａの側壁５１Ａと保持部材３０Ａの側壁３Ａとを係合させることができる。なお、図７（ａ）、（ｂ）は、本願発明との対比のために本願発明者が案出したもので、従来例ではない。
【特許文献１】特開平５−８０３３４号公報
【特許文献２】特開２００５−２８３８２６号公報
【発明の開示】
【発明が解決しようとする課題】
【０００５】
しかしながら、図７（ａ）に示す例では、係合凸部５５Ａの先端部が係合凹部３５Ａの凹底部３５１Ａに線接触しているだけであり、係合力が弱いという問題点がある。また、図７（ｂ）に示す例でも、係合凸部５５Ｂの円弧部が係合凹部３５Ａの凹底部３５１Ａに線接触しているだけであり、係合力が弱いとともに、係合凸部５５Ｂを円弧状に加工するのに多大な手間がかかるという問題点がある。
【０００６】
以上の問題点に鑑みて、本発明の課題は、電気光学パネルを保持する部材同士を強固に係合させることのできる電気光学装置、および電子機器を提供することにある。
【課題を解決するための手段】
【０００７】
上記課題を解決するために、本発明では、電気光学パネルと、前記電気光学パネルを保持するとともに、前記電気光学パネルの側面に対向する側壁を有する保持部材と、前記保持部材に対して前記電気光学パネルの表示面側および該表示面とは反対側のいずれか一方の面側から係合するとともに、前記保持部材の側壁に対向配置される側壁を有するカバー部材とを備え、前記保持部材の側壁には、前記カバー部材の側壁側に凹底部を向ける係合凹部が形成され、前記カバー部材の側壁には、前記保持部材の側壁側に向けて突出して前記係合凹部に嵌る板バネ状の係合凸部が形成され、前記係合凸部は、前記カバー部材の側壁から前記係合凹部内に向けて突き出た第１係合板部と、該第１係合板部の先端で折れ曲がって前記凹底部に弾性をもって面接触する第２係合板部とを備えていることを特徴とする。
【０００８】
本発明に係る電気光学装置は、電気光学パネルの側面に対向する側壁を有する保持部材と、保持部材に対して電気光学パネルの表示面側および該表示面とは反対側のいずれか一方の面側から係合するカバー部材とを備えており、保持部材に対してカバー部材を重ねると、双方の側壁が係合方向（保持部材に対するカバー部材の重ね合わせ方向）に対して直交する方向で対向し、カバー部材の側壁に形成した係合凸部が、保持部材の側壁に形成した係合凹部に嵌る。この状態で、係合凸部の第２係合板部は、係合凹部の凹底部に弾性をもって接するので、保持部材に対するカバー部材の係合方向に対して直交する方向での位置決めが行なわれる。ここで、係合凸部の第２係合板部は、係合凹部の凹底部に弾性をもって面接触しているため、保持部材とカバー部材との間での係合力が強いので、保持部材とカバー部材との間での係合方向に対して直交する方向での位置決めを確実に行うことができる。
【０００９】
本発明において、前記カバー部材および前記保持部材は、前記カバー部材の側壁および前記保持部材の側壁を、少なくとも相対向する２辺に備え、当該２辺において、前記係合凸部の突出方向および前記係合凹部の凹底部の向きが逆向きであることが好ましい。このように構成すると、カバー部材と保持部材とは、係合方向に対して直交する両側から確実に位置決めされることになる。
【００１０】
本発明において、前記第１係合板部は、前記カバー部材の側壁から前記係合凹部内に向けて斜めに突出し、前記凹底部および前記第２係合板部は、前記保持部材に対する前記カバー部材の係合方向と平行であることが好ましい。このような構成であれば、係合凸部および係合凹部を容易に形成することができる。
【００１１】
本発明において、前記第１係合板部は、前記カバー部材の側壁から、前記保持部材に対する前記カバー部材の係合方向に対して逆方向に向かって斜めに突出し、前記第２係合板部は、前記第１係合板部の先端部分から、前記係合方向に対して逆方向に向かって延びていることが好ましい。このように構成すると、保持部材に対してカバー部材を重ねて係合させる際、第１係合板部と第２係合板部と間の折り曲げ部分が先行して、保持部材の側壁上を摺動し、かかる折り曲げ部分が係合凹部に差し掛かった後、しばらくして係合凸部が係合凹部に嵌ることになる。このため、第２係合板部の先端部にエッジがあっても、係合凸部が保持部材の側壁上をスムーズに摺動する。また、第２係合板部は、係合方向と平行であるため、第２係合板部の先端面は、係合方向に対して直交しているので、係合凸部が係合凹部に嵌る際、第２係合板部の先端部においてカバー部材側に位置するエッジが係合凹部の縁に引っ掛かることがない。
【００１２】
本発明において、前記第２係合板部には係合穴が形成され、前記凹底部には、前記係合穴に嵌る係合突起が形成されていることが好ましい。このように構成すると、重ね合わせ方向に対して、係合穴と係合突起とがストッパとして機能するので、係合方向においても保持部材とカバー部材との位置決めを行なうことができる。
【００１３】
本発明において、前記保持部材の側壁には、前記凹底部に対して前記係合方向側に隣接する位置に前記第１係合板部が面接触する傾斜段部が形成されていることが好ましい。このように構成すると、係合方向に対して、第１係合板部と傾斜段部とがストッパとして機能するので、係合方向においても保持部材とカバー部材との位置決めを行なうことができる。
【００１４】
本発明において、前記電気光学パネルを内側に保持する樹脂製保持部材と、前記樹脂製保持部材に対して前記電気光学パネルの表示面側から係合する金属製の上カバー部材と、前記樹脂製保持部材に対して前記電気光学パネルの表示面とは反対側から係合する金属製の下カバー部材とを備えている場合、前記樹脂保持部材は前記保持部材であり、前記上カバー部材および前記下カバー部材の一方または両方が前記カバー部材である構成を採用することができる。
【００１５】
本発明を適用した電気光学装置は、例えば、携帯電話機や情報携帯端末などの電子機器において、表示部を構成するのに用いられる。
【発明を実施するための最良の形態】
【００１６】
図面を参照して、本発明の実施の形態を説明する。なお、以下の説明で参照する図においては、各層や各部材を図面上で認識可能な程度の大きさとするため、各層や各部材毎に縮尺を異ならしめてある。
【００１７】
［実施の形態１］
（全体構成）
図１は、本発明を適用した電気光学装置（液晶装置）の構成を模式的に示す分解斜視図である。
【００１８】
図１において、本形態の電気光学装置１００は概ね、バックライト装置としての照明装置２０と、この照明装置２０の上面に重ねて配置された透過型あるいは半透過反射型の液晶パネル１０（電気光学パネル）と、液晶パネル１０および照明装置２０を内側に保持する樹脂製の保持部材３０と、保持部材３０の下側（表示面とは反対側）に重ねて配置される金属製の下カバー部材４０と、保持部材３０の上側（表示面の側）に重ねて配置される金属製の上カバー部材５０とを備えている。
【００１９】
液晶パネル１０は、矩形の平面形状を有しており、ガラス基板に画素電極などが形成された素子基板１１と、素子基板１１に対して所定の隙間を介して対向配置された対向基板１２と、この対向基板１２と素子基板１１との間に保持された液晶層（図示せず）とを備えている。本形態では、対向基板１２が表示光の出射側に配置され、素子基板１１は照明装置２０の側に配置されている。対向基板１２は、共通電極やカラーフィルタが形成されたガラス基板からなり、電気光学装置１００において、いわゆるフリンジフィールドスイッチング（以下、ＦＦＳ（Fringe Field Switching）という）方式やインプレンスイッチング（以下、ＩＰＳ(In Plane Switching)という）方式等が採用されている場合、共通電極は素子基板１１の側に形成される。
【００２０】
素子基板１１において、対向基板１２の縁からの張り出し部分１１０の上面には駆動用ＩＣ１４が実装されているとともに、かかる張り出し部分１１０の端部にはフレキシブル基板７０が接続されている。液晶パネル１０の上面には上偏光板１８などが重ねて配置され、液晶パネル１０の下面と照明装置２０の導光板２１との間には下偏光板１７などが配置されている。
【００２１】
照明装置２０は、液晶パネル１０に対して重ねて配置された矩形の導光板２１と、面実装タイプのＬＥＤからなる発光素子（図示せず）とを備えている。液晶パネル１０に一方端が接続されているフレキシブル基板７０は両面基板であり、発光素子などはフレキシブル基板７０に実装されている。導光板２１は、対向基板１２と略同一サイズの透光性の樹脂板であり、４つの側端面のうち、液晶パネル１０において素子基板１１が対向基板１２から張り出している一方端側の側端面が入射端面２１０とされる。導光板２１では、入射端面２１０から入射した光が導光板２１内を進行しながら上面から光が出射されるようになっており、本形態において、導光板２１の下面には反射シート（図示せず）が重ねて配置されている。導光板２１の上面には散乱板などの光学シートが重ねて配置される場合や、導光板２１自身に散乱性や輝度分布を均一化するための凹凸やドットパターンが形成される場合もある。
【００２２】
保持部材３０は、ロの字状の平面形状になっており、液晶パネル１０の側面に対向する４つの側壁３１を備えている。かかる４つの側壁３１のうち、３つの側壁３１の内側には段部３６が形成されている。かかる段部３６の上には導光板２１、下偏光板１７、液晶パネル１０および上偏光板１８が順に重ねて配置されている。
【００２３】
下カバー部材４０は、厚さが０．１５ｍｍ程度の薄い金属板、例えばＳＵＳ板などに対するプレス加工などにより形成され、上面が開口する矩形の箱状になっている。かかる下カバー部材４０の底板部４９の上に保持部材３０が保持される。
【００２４】
上カバー部材５０も、厚さが０．１５ｍｍ程度の薄い金属板、例えばＳＵＳ板などに対するプレス加工などにより形成され、下面が開口する矩形の箱状になっている。また、上カバー部材５０の上板部５３には、液晶パネル１０から出射された光を出射する矩形の開口部５３０が形成されている。
【００２５】
（上カバー部材５０と保持部材３０との係合構造）
図２は、本発明の実施の形態１に係る電気光学装置１００における上カバー部材５０と保持部材３０との係合構造の説明図である。なお、図２（ａ）には、保持部材３０に対して上カバー部材５０を重なる前の様子を示してあり、図２（ｂ）には、保持部材３０に対して上カバー部材５０を重ねて互いに係合させた後の様子を断面図で示してある。以下、保持部材３０に対する上カバー部材５０の係合方向を説明するにあたっては、保持部材３０に対して上カバー部材５０を上方から被せて係合させるので、保持部材３０に対する上カバー部材５０の係合方向とは、矢印Ｄで示すように、下向きを意味し、係合方向と逆方向とは、矢印Ｕで示すように、上向きを意味する。
【００２６】
本形態の電気光学装置１００において、下カバー部材４０、保持部材３０および上カバー部材５０が上下方向に重ねて配置されるとともに、下カバー部材４０、保持部材３０および上カバー部材５０によって、液晶パネル１０が保持される。この状態で、液晶パネル１０は、下カバー部材４０と上カバー部材５０とによってシールドされた状態とある。
【００２７】
このように構成するにあたって、本形態では、図１および図２（ａ）、（ｂ）を参照して以下に説明するように、上カバー部材５０の側壁５１と保持部材３０の側壁３１との係合が行なわれる。このため、上カバー部材５０を保持部材３０に重ねると、上カバー部材５０の４つの側壁５１は各々、保持部材３０の４つの側壁３１の外側に被さり、この状態で、上カバー部材５０の４つの側壁５１は各々、保持部材３０の４つの側壁３１に対して、保持部材３０に対する上カバー部材５０の係合方向（矢印Ｄで示す方向／保持部材３０に対する上カバー部材５０の重ね合わせ方向）に対して直交する方向で対向する状態となる。
【００２８】
ここで、保持部材３０の４つの側壁３１には、上カバー部材５０の側壁５１の側に凹底部３５１を向ける係合凹部３５が複数、形成されており、本形態において、係合凹部３５は、側壁３１の高さ方向の途中位置から下端側まで連続して形成されている。かかる係合凹部３５では、凹底部３５１に対して、保持部材３０に対する上カバー部材５０の係合方向とは反対側（上側）に隣接する位置には、係合方向に対して垂直な段部３５３が形成されている一方、凹底部３５１に対して、保持部材３０に対する上カバー部材５０の係合方向（下側）は開放状態にある。また、本形態において、係合凹部３５の凹底部３５１は、保持部材３０に対する上カバー部材５０の係合方向と平行であり、凹底部３５１と段部３５３とは垂直である。なお、係合凹部３５には、保持部材３０に対する上カバー部材５０の係合方向と直交する左右両側にも凹底部３５１に対して垂直な段差が形成されている。
【００２９】
上カバー部材５０の側壁５１には、保持部材３０の側壁３１の側に向けて突出して係合凹部３５に嵌る板バネ状の係合凸部５５が切り起こされている。このため、側壁５１には、係合凸部５５が切り起こした部分が開口部５４になっている。
【００３０】
本形態において、係合凸部５５は、上カバー部材５０の側壁５１から係合凹部３５内に向けて突き出た第１係合板部５５１と、第１係合板部５５１の先端で折れ曲がる第２係合板部５５２とを備えている。ここで、第１係合板部５５１は、係合方向に対して逆方向に向かって斜めに突出し、第２係合板部５５２は、第１係合板部５５１の先端部から係合方向に対して逆方向に向かって係合方向と平行に延びている。また、第２係合板部５５２が側壁５１と離間する距離は、係合凹部３５の深さ寸法よりわずかに大きめに設定されている。
【００３１】
このような係合凸部５５は、上カバー部材５０の４つの側壁５１に各々同様な構造をもって形成されているが、４つの側壁５１のうち、相対向する側壁５１においては、係合凸部５５の突出方向が逆向きである。また、係合凹部３５は、保持部材３０の４つの側壁３１に各々同様な構造をもって形成されているが、４つの側壁３１のうち、相対向する側壁３１においては、係合凹部３５の開口方向が逆向きである。
【００３２】
このように構成した上カバー部材５０を保持部材３０に重ねると、第１係合板部５５１と第２係合板部５５２と間の折り曲げ部分５５４が先行して側壁３１上を摺動し、かかる折り曲げ部分５５４が係合凹部３５に差し掛かった後、しばらくして係合凸部５５が係合凹部３５に入り込んで嵌ることになる。その結果、係合凸部５５の第２係合板部５５２は、係合凹部３５の凹底部３５１に弾性をもって面接触することになる。このような係合は、上カバー部材５０の４つの側壁５１と保持部材３０の４つの側壁３１のいずれにおいても発生する。従って、上カバー部材５０と保持部材３０との間では、係合方向に対して直交する方向（側壁３１、５１の対向方向）での位置決めが行なわれる。
【００３３】
また、係合凹部３５には、保持部材３０に対する上カバー部材５０の係合方向と直交する左右両側に凹底部３５１に対して垂直な段差があり、かかる段差は、上カバー部材５０の係合凸部５５が係合凹部３５に嵌った際、凹底部３５１の左右方向の位置決めを行なうので、上カバー部材５０と保持部材３０との間では左右方向の位置決めが行なわれる。
【００３４】
（本形態の主な効果）
以上説明したように、本形態では、上カバー部材５０と保持部材３０とを重ねると、側壁３１、５１同士とが係合方向に対して直交する方向で対向し、側壁５１に形成した係合凸部５５が側壁３１に形成した係合凹部３５に嵌る。この状態で、係合凸部５５の第２係合板部５５２は、係合凹部３５の凹底部３５１に弾性をもって接するので、上カバー部材５０と保持部材３０との間での係合方向に対して直交する方向での位置決めが行なわれる。ここで、係合凸部５５の第２係合板部５５２は、係合凹部３５の凹底部３５１に弾性をもって面接触しているため、線接触状態にある場合と比較して、上カバー部材５０と保持部材３０との間での係合力が強いので、上カバー部材５０と保持部材３０との間での係合方向に対して直交する方向での位置決めを確実に行うことができる。かかる係合機構は、上カバー部材５０および保持部材３０において相対向する側壁３１、５１では逆向きで行なわれ、係合凸部５５によって両側から付勢される。このため、上カバー部材５０と保持部材３０とは、係合方向に対して直交する両側から確実に位置決めされることになる。
【００３５】
また、係合凸部５５において、第１係合板部５５１は側壁５１から斜めに突出し、かかる第１係合板部５５１の先端部から第２係合板部が係合方向と平行に直線的に延びており、かかる構造であれば、係合凸部５５を容易に形成することができる。また、係合凹部３５では、凹底部３５１が係合方向と平行であるため、保持部材３０を樹脂成形する際、係合凹部３５を同時形成することができる。
【００３６】
さらに、第１係合板部５５１は、側壁３１から係合方向に対して逆方向に向かって斜めに突出し、第２係合板部５５２は、第１係合板部５５１の先端部分から係合方向に対して逆方向に向かって延びている。このため、保持部材３０に上カバー部材５０を重ねる際、第１係合板部５５１と第２係合板部５５２と間の折り曲げ部分５５４が先行して側壁３１上を摺動し、かかる折り曲げ部分５５４が係合凹部３５に差し掛かった後、しばらくして係合凸部５５が係合凹部に嵌ることになる。このため、第２係合板部５５２の先端部にエッジがあっても、係合凸部５５が側壁３１上をスムーズに摺動する。
【００３７】
また、第２係合板部５５２は、係合方向と平行であるため、第２係合板部５５２の先端面は、係合方向に対して直交しているので、係合凸部５５が係合凹部３５に嵌る際、第２係合板部５５２の先端部において側壁５１側に位置するエッジ５５３が係合凹部３５の縁（段部３５３）に引っ掛かることがない。
【００３８】
［実施の形態２］
図３は、本発明の実施の形態２に係る電気光学装置１００における上カバー部材５０と保持部材３０との係合構造の説明図である。なお、図３（ａ）には、保持部材３０に対して上カバー部材５０を重なる前の様子を示してあり、図３（ｂ）には、保持部材３０に対して上カバー部材５０を重ねて互いに係合させた後の様子を断面図で示してある。なお、本形態の基本的な構成は、実施の形態１と同様であるため、共通する部分には同一の符号を付して図示し、それらの説明を省略する。
【００３９】
図１および図３（ａ）、（ｂ）に示すように、本形態の電気光学装置１００においても、実施の形態１と同様、下カバー部材４０、保持部材３０および上カバー部材５０が上下方向に重ねて配置されるとともに、下カバー部材４０、保持部材３０および上カバー部材５０によって、液晶パネル１０が保持される。また、上カバー部材５０を保持部材３０に重ねると、上カバー部材５０の４つの側壁５１は各々、保持部材３０の４つの側壁３１の外側に被さり、この状態で、上カバー部材５０の４つの側壁５１は各々、保持部材３０の４つの側壁３１に対して、係合方向に対して直交する方向で対向する状態となる。
【００４０】
保持部材３０の４つの側壁３１には、上カバー部材５０の側壁５１の側に凹底部３５１を向ける係合凹部３５が複数、形成されている一方、上カバー部材５０の側壁５１には、保持部材３０の側壁３１の側に向けて突出して係合凹部３５に嵌る板バネ状の係合凸部５５が切り起こされている。係合凸部５５は、上カバー部材５０の側壁５１から係合凹部３５内に向けて突き出た第１係合板部５５１と、第１係合板部５５１の先端で折れ曲がる第２係合板部５５２とを備えている。ここで、第１係合板部５５１は、係合方向に対して逆方向に向かって斜めに突出し、第２係合板部５５２は、第１係合板部５５１の先端部から係合方向に対して逆方向に向かって、係合方向と平行に延びている。従って、上カバー部材５０を保持部材３０に重ねると、係合凸部５５が係合凹部３５に入り込んで嵌ることになる。その結果、係合凸部５５の第２係合板部５５２は、係合凹部３５の凹底部３５１に弾性をもって面接触することになる。
【００４１】
本形態において、第２係合板部５５２には円形の係合穴５５６が形成されており、凹底部３５１には、係合穴５５６に嵌る丸棒状の係合突起３５６が形成されている。このため、保持部材３０と上カバー部材５０との係合方向に対して、係合穴５５６と係合突起３５６とがストッパとして機能するので、係合方向においても、保持部材３０と上カバー部材５０との位置決めを行なうことができる。それ故、上カバー部材５０の上板部５３と、図１に示す駆動用ＩＣ１４との間に隙間を確実に確保することができるなどの利点がある。
【００４２】
［実施の形態３］
図４は、本発明の実施の形態３に係る電気光学装置１００における上カバー部材５０と保持部材３０との係合構造の説明図である。なお、図４（ａ）には、保持部材３０に対して上カバー部材５０を重なる前の様子を示してあり、図４（ｂ）には、保持部材３０に対して上カバー部材５０を重ねて互いに係合させた後の様子を断面図で示してある。なお、本形態の基本的な構成は、実施の形態１と同様であるため、共通する部分には同一の符号を付して図示し、それらの説明を省略する。
【００４３】
図１および図４（ａ）、（ｂ）に示すように、本形態の電気光学装置１００においても、実施の形態１と同様、下カバー部材４０、保持部材３０および上カバー部材５０が上下方向に重ねて配置されるとともに、下カバー部材４０、保持部材３０および上カバー部材５０によって、液晶パネル１０が保持されている。また、上カバー部材５０を保持部材３０に重ねると、上カバー部材５０の４つの側壁５１は各々、保持部材３０の４つの側壁３１の外側に被さり、この状態で、上カバー部材５０の４つの側壁５１は各々、保持部材３０の４つの側壁３１に対して、係合方向に対して直交する方向で対向する状態となる。
【００４４】
保持部材３０の４つの側壁３１には、上カバー部材５０の側壁５１の側に凹底部３５１を向ける係合凹部３５が複数、形成されている一方、上カバー部材５０の側壁５１には、保持部材３０の側壁３１の側に向けて突出して係合凹部３５に嵌る板バネ状の係合凸部５５が切り起こされている。係合凸部５５は、上カバー部材５０の側壁５１から係合凹部３５内に向けて突き出た第１係合板部５５１と、第１係合板部５５１の先端で折れ曲がる第２係合板部５５２とを備えている。ここで、第１係合板部５５１は、係合方向に対して逆方向に向かって斜めに突出し、第２係合板部５５２は、第１係合板部５５１の先端部から係合方向に対して逆方向に向かって、係合方向と平行に延びている。従って、上カバー部材５０を保持部材３０に重ねると、係合凸部５５が係合凹部３５に入り込んで嵌ることになる。その結果、係合凸部５５の第２係合板部５５２は、係合凹部３５の凹底部３５１に弾性をもって面接触することになる。
【００４５】
本形態において、側壁３１には、凹底部３５１に対して係合方向側に隣接する位置に第１係合板部３５１が面接触する傾斜段部３５７が形成されている。このため、保持部材３０と上カバー部材５０との係合方向に対して、第１係合板部５５１と傾斜段部３５７とがストッパとして機能するので、係合方向においても、保持部材３０と上カバー部材５０との位置決めを確実に行なうことができる。それ故、上カバー部材５０の上板部５３と、図１に示す駆動用ＩＣ１４との間に隙間を確実に確保することができるなどの利点がある。
【００４６】
［実施の形態４］
上記実施の形態１〜３では、上カバー部材５０と保持部材３０との重ね合わせた際に、上カバー部材５０の側壁５１と保持部材３０の側壁３１とを係合させるために本発明を適用したが、図１に示す下カバー部材４０と保持部材３０とを重ねた際に、下カバー部材４０の側壁４１と保持部材３０の側壁３１とを係合させることもある。このような場合には、図１に点線で示すように、下カバー部材４０の側壁４１に対して、図２〜図４を参照して説明した係合凸部５５と同様な係合凸部４５を設け、かかる係合凸部４５を保持部材３０の側壁３１に形成した係合凹部３５に係合させればよい。この場合は、係合方向が上下反対になるので、係合凸部４５および係合凹部３５を図２〜図４を参照して説明した構成と上下逆に構成すればよい。
【００４７】
［実施の形態５］
次に、図５を参照して、上カバー部材５０の側壁５１と保持部材３０の側壁３１とを係合させるとともに、下カバー部材４０の側壁４１と保持部材３０の側壁３１とを係合させる例を説明する。
【００４８】
図５は、本発明の実施の形態５に係る電気光学装置１００における上カバー部材５０と保持部材３０との係合構造、および下カバー部材５０と保持部材３０との係合構造の説明図である。なお、図５（ａ）には、保持部材３０に対して上カバー部材５０および下カバー部材４０を重なる前の様子を示してあり、図５（ｂ）には、保持部材３０に対して上カバー部材５０および下カバー部材４０を重ねて互いに係合させた後の様子を断面図で示してある。なお、本形態の基本的な構成は、実施の形態１と同様であるため、共通する部分には同一の符号を付して図示し、それらの説明を省略する。
【００４９】
図５（ａ）、（ｂ）に示すように、本形態の電気光学装置１００においては、実施の形態１と同様、上カバー部材５０の側壁５１と保持部材３０の側壁３１とを係合させるために、保持部材３０の側壁３１には、上カバー部材５０の側壁５１の側に凹底部３５１を向ける係合凹部３５が複数、形成されている一方、上カバー部材５０の側壁５１には、保持部材３０の側壁３１の側に向けて突出して係合凹部３５に嵌る板バネ状の係合凸部５５が切り起こされている。
【００５０】
また、保持部材３０の側壁３１には、係合凹部３５が上下２つ形成されており、下カバー部材４０の側壁４１にも、保持部材３０の側壁３１の側に向けて突出して下側の係合凹部３５に嵌る板バネ状の係合凸部４５が切り起こされている。かかる係合凸部４５も第１係合板部４５１および第２係合板部４５２を備えており、第２係合板部４５２が係合凹部３５の凹底部３５１に面接触状態となる。
【００５１】
ここで、上カバー部材５０と下カバー部材４０は、保持部材３０に対する係合方向が上下反対になるので、下側の係合凹部３５の構成は、図２〜図４を参照して説明した構成（上側の係合凹部３５の構成）と上下逆であり、係合凸部４５の構成は、図２〜図４を参照して説明した係合凸部５５の構成と上下逆である。
【００５２】
このように構成した場合には、保持部材３０に対して上カバー部材５０および下カバー部材４０の双方を確実に位置決めすることができるという利点がある。
【００５３】
［他の実施の形態］
上記実施の形態では、下カバー部材４０、保持部材３０および上カバー部材５０によって液晶パネル１０を保持する際に本発明を適用した例を説明したが、有機エレクトロルミネッセンス素子が構成された有機エレクトロルミネッセンスパネルを備えた有機エレクトロルミネッセンス装置においても、複数の部材によって、有機エレクトロルミネッセンスパネルが保持される場合がある。従って、有機エレクトロルミネッセンス装置において、有機エレクトロルミネッセンスパネルを保持する部材同士を係合させるにあたって本発明を適用してもよい。
【００５４】
［電子機器への搭載例］
次に、上述した実施形態に係る電気光学装置１００を適用した電子機器について説明する。図６（ａ）に、電気光学装置１００を備えた携帯電話機の構成を示す。携帯電話機３０００は、複数の操作ボタン３００１及びスクロールボタン３００２、並びに表示ユニットとしての電気光学装置１００を備える。スクロールボタン３００２を操作することによって、電気光学装置１００に表示される画面がスクロールされる。図６（ｂ）に、電気光学装置１００を適用した情報携帯端末の構成を示す。情報携帯端末４０００は、複数の操作ボタン４００１及び電源スイッチ４００２、並びに表示ユニットとしての電気光学装置１００を備える。電源スイッチ４００２を操作すると、住所録やスケジュール帳といった各種の情報が電気光学装置１００に表示される。
【００５５】
なお、電気光学装置１００が適用される電子機器としては、図６に示すものの他、デジタルスチルカメラ、液晶テレビ、ビューファインダ型、モニタ直視型のビデオテープレコーダ、カーナビゲーション装置、ページャ、電子手帳、電卓、ワードプロセッサ、ワークステーション、テレビ電話、ＰＯＳ端末、タッチパネルを備えた機器等などが挙げられる。そして、これらの各種電子機器の表示部として、前述した電気光学装置１００が適用可能である。
【図面の簡単な説明】
【００５６】
【図１】本発明を適用した電気光学装置（液晶表示装置）の構成を模式的に示す分解斜視図である。
【図２】本発明の実施の形態１に係る電気光学装置における上カバー部材と保持部材との係合構造の説明図である。
【図３】本発明の実施の形態２に係る電気光学装置における上カバー部材と保持部材との係合構造の説明図である。
【図４】本発明の実施の形態３に係る電気光学装置における上カバー部材と保持部材との係合構造の説明図である。
【図５】本発明の実施の形態５に係る電気光学装置における上カバー部材、保持部材および下カバー部材の係合構造の説明図である。
【図６】本発明に係る電気光学装置を用いた電子機器の説明図である。
【図７】本発明の比較例に係る電気光学装置における上カバー部材と保持部材との係合構造の説明図である。
【符号の説明】
【００５７】
１０・・液晶パネル（電気光学パネル）、２０・・照明装置、２１・・導光板、３０・・保持部材、３１・・保持部材の側壁、３５・・係合凹部、４０・・下カバー部材、４１・・下カバー部材の側壁、５０・・上カバー部材、５１・・上カバー部材の側壁、５５・・係合凸部、１００・・電気光学装置、３５１・・凹底部、３５６・・係合突起
、３５７・・傾斜段部、５５１・・第１係合板部、５５２・・第２係合板部、５５６・・係合穴
【図１】
0005051718.tif 000002
【図２】
0005051718.tif 000003
【図３】
0005051718.tif 000004
【図４】
0005051718.tif 000005
【図５】
0005051718.tif 000006
【図６】
0005051718.tif 000007
【図７】
0005051718.tif 000008